(57)【要約】【課題】録画中の番組を視聴しているときのテレビの消費電力を削減することができる技術を提供する。【解決手段】注目度判定部１９は、リモコン信号処理部１７を介して、視聴要求としてリモコン２からの選局指示を取得すると、その視聴要求チャンネルと視聴要求時刻とを取得する。注目度判定部１９は、録画処理部１８を介して視聴要求チャンネルが録画中であると判定すると、視聴要求時刻が番組開始時刻から所定時間経過しているか判定する。注目度判定部１９は、視聴要求時刻が番組開始時刻から所定時間経過していると判定した場合、省電力モード制御部２０を介してテレビ１を省電力モードに移行させる。省電力モード制御部２０は、省電力モードとして、バックライト制御部２１により表示部１５２のバックライトレベルを低下させると共に、表示制御部１４２により表示部１５２のガンマ値を高くさせるよう制御する。【選択図】図１
2013162450.tif 000002
【特許請求の範囲】
【請求項１】
ユーザ操作によって録画中番組のチャンネルが選局された場合に、選局時刻が前記録画中番組の番組開始時刻から所定時間経過後であるとき、省電力モードに移行させる判定手段と
を備えたことを特徴とするテレビジョン受像機。
【請求項２】
前記判定手段は、前記録画中番組を再生させる追っかけ再生が開始された場合に、通常モードに移行させることを特徴とする請求項１に記載のテレビジョン受像機。
【請求項３】
前記判定手段は、前記選局時刻が前記番組開始時刻から遅れるほど、消費電力の削減量が大きい前記省電力モードに移行させることを特徴とする請求項１又は２に記載のテレビジョン受像機。
【請求項４】
前記判定手段は、前記録画中番組のチャンネルが選局された場合に、前記チャンネルのジャンルに応じて、移行させる電力モードを決定することを特徴とする請求項１から３までのいずれか一項に記載のテレビジョン受像機。
【発明の詳細な説明】
【技術分野】
【０００１】
本発明は、録画機能を有するテレビジョン受像機の消費電力削減技術に関する。
【背景技術】
【０００２】
近年、電子番組表等を用いて、所望の番組の録画予約を行うことができる録画予約機能を備えたテレビジョン受像機（以下、「テレビ」と称する）が普及している。ユーザは、見逃したくない番組や保存しておきたい番組等を録画予約しておくことで、放送時間になると録画予約番組を自動的に録画させることができる。
【０００３】
ところで、ユーザは、実際の放送時間中に録画予約番組を何気なく選局して視聴している場合がある。この場合、ユーザは、録画された番組を後で視聴し直すことができるから、視聴中の番組に対する注目度が低い場合が多い。テレビに対するユーザの注目度が低い場合、テレビの消費電力を削減することが行われることがある。
【０００４】
例えば、テレビの音量レベルが低いことを検出すると、視聴者の注目度が低いと判定して、消費電力を削減するテレビが知られている（例えば、特許文献１を参照）。
【先行技術文献】
【特許文献】
【０００５】
【特許文献１】特開２０１１−０６６５７１号公報
【発明の概要】
【発明が解決しようとする課題】
【０００６】
しかしながら、特許文献１の技術では、注目度が低い録画中の番組を視聴中の場合、ユーザが音量レベルを意図的に下げない限り消費電力を削減することができなかった。
【０００７】
本発明は上記課題に鑑みてなされたものであり、録画中の番組を視聴しているときのテレビの消費電力を削減することができる技術を提供することを目的とする。
【課題を解決するための手段】
【０００８】
本発明のテレビジョン受像機は、ユーザ操作によって録画中番組のチャンネルが選局された場合に、選局時刻が前記録画中番組の番組開始時刻から所定時間経過後であるとき、省電力モードに移行させる判定手段とを備えたことを特徴とする。
また、前記判定手段は、前記録画中番組を再生させる追っかけ再生が開始された場合に、通常モードに移行させてもよい。
また、前記判定手段は、前記選局時刻が前記番組開始時刻から遅れるほど、消費電力の削減量が大きい前記省電力モードに移行させてもよい。
また、前記判定手段は、前記録画中番組のチャンネルが選局された場合に、前記チャンネルのジャンルに応じて、移行させる電力モードを決定してもよい。
【発明の効果】
【０００９】
本発明によれば、録画中の番組を視聴しているときのテレビの消費電力を削減することができる。
【図面の簡単な説明】
【００１０】
【図１】本発明に係る実施形態のテレビの構成を示す機能ブロック図である。
【図２】図１に示す表示部のガンマ特性を示す図である。
【図３】図１に示すテレビの処理の流れを説明するフローチャートである。
【発明を実施するための形態】
【００１１】
本実施形態のテレビは、録画中の番組が視聴されている場合、ユーザの注目度が低いと判定して、省電力モードに移行するものである。以下、図を参照して本発明の実施形態を詳細に説明する。
【００１２】
図１に示すように、本実施形態のテレビ１は、アンテナ１１とチューナー部１２と信号処理部１３と映像音声出力処理部１４と出力部１５とリモコン受信部１６とリモコン信号処理部１７と録画処理部１８と注目度判定部１９と省電力モード制御部２０とバックライト制御部２１とを備えている。なお、本実施形態のテレビ１は、ＣＰＵ（Central Processing Unit）等で構成された不図示の制御部を備えており、不図示の制御部が、ＲＯＭ（Read Only Memory）等に格納されたプログラムをＲＡＭ（Random Access Memory）等に展開して実行することで各部を制御して、本実施形態のテレビ１の機能を実現させている。
【００１３】
チューナー部１２は、アンテナ１１や不図示のケーブル等を介して受信した放送信号を選局して復調し、信号処理部１３に出力する。なお、チューナー部１２は、複数設けられてもよい。
【００１４】
信号処理部１３は、チューナー部１２から取得した放送信号を、映像データと音声データとＥＰＧ（Electronic Program Guide）等のデータとに分離する。信号処理部１３は、映像データと音声データをそれぞれデコードして映像音声出力処理部１４に出力する。また、信号処理部１３は、ＥＰＧ等のデータを不図示のメモリに記憶させる。
【００１５】
映像音声出力処理部１４は、音声処理部１４１と表示制御部１４２とを有する。音声処理部１４１は、信号処理部１３から音声データを取得して、音量や音質の調整等を行ってスピーカ１５１で再生させる。表示制御部１４２は、信号処理部１３から映像データを取得して、信号フォーマット変換や輝度補正等を行って表示部１５２に表示させる。バックライト制御部２１は、表示部１５２が備える不図示のバックライトの明るさを制御する。
【００１６】
録画処理部１８は、録画予約部１８１と追っかけ再生部１８２と録画部１８３とを有している。
録画予約部１８１は、ユーザのリモコン操作等により指定された番組や、ユーザの好みに合わせて自動的に選別した番組等の録画予約番組について、チャンネルや放送時間等を関連付けて不図示の録画予約テーブル等に記憶して録画予約を行う。録画予約部１８１は、録画予約番組の番組開始時刻になると、自動的にチューナー部１２に放送信号を受信させて録画予約番組のチャンネルを選局させ、信号処理部１３によりデコードされた録画予約番組の映像データ及び音声データを録画部１８３に録画させる。録画予約部１８１は、録画予約番組の番組終了時刻になると、録画部１８３による録画を終了させる。
追っかけ再生部１８２は、ユーザのリモコン操作等に応じて、録画中の番組を最初から再生させる。このとき、録画部１８３による録画は、録画番組の再生と平行して番組の最後まで継続される。
録画部１８３は、ＨＤＤ（ハードディスク）、ブルーレイディスク等の記憶装置で構成され、録画予約番組の録画を行う。
なお、録画処理部１８は、外部録画機器により構成されてもよく、例えばＨＤＭＩ（High Definition Multimedia Interface）等のケーブルを介してテレビ１と接続されていてもよい。
【００１７】
リモコン信号処理部１７は、リモコン受信部１６を介して、リモコン２からの制御信号を取得して、制御信号に従って各部を制御する。リモコン信号処理部１７は、リモコン受信部１６を介して取得したリモコン２からの制御信号が、選局指示等の視聴要求であった場合、チューナー部１２に選局指示に対応するチャンネル（視聴要求チャンネル）を選局させる。それと共に、リモコン信号処理部１７は、視聴要求があった旨を注目度判定部１９に出力し、視聴要求チャンネルと視聴要求時刻（選局指示があった時刻）とを注目度判定部１９に出力する。
【００１８】
注目度判定部１９は、ユーザ操作によって、録画中の番組が選局されたときに、注目度が低いと判定して、省電力モードに移行させるものである。具体的には、注目度判定部１９は、リモコン信号処理部１７を介して、ユーザのリモコン操作等によるチャンネル選局指示を視聴要求として取得する。なお、視聴要求には、リモコン操作等によりテレビ１の電源がＯＮされることにより、前回最後に表示していた番組のチャンネルが選局されることも含まれる。注目度判定部１９は、視聴要求を取得すると、視聴要求チャンネルと視聴要求時刻とをリモコン信号処理部１７から取得する。注目度判定部１９は、録画処理部１８を介して、視聴要求チャンネルと同一のチャンネルの番組が録画中であるか確認する。注目度判定部１９は、視聴要求チャンネルと同一のチャンネルの番組が録画中であると判定すると、視聴要求時刻が番組開始時刻からどれだけ遅れているのか判定する。例えば、番組が始まってから間もなく視聴が開始された場合、それだけその番組に対するユーザの注目度が強いことが多い。そのため、視聴要求時刻が番組開始時刻から所定時間以内（例えば、２０分以内）であれば、注目度判定部１９は、注目度が高いと判定して、省電力モードに移行させずに通常モードで番組を表示させる。一方、視聴要求時刻が番組開始時刻から所定時間経過後であれば、注目度判定部１９は、注目度が低いと判定して、省電力モードに移行させて番組を表示させる。
【００１９】
また、注目度判定部１９は、注目度が低いと判定して省電力モードに移行させた番組について、リモコン操作等により追っかけ再生部１８２による追っかけ再生が開始されたか判定する。注目度判定部１９は、追っかけ再生が開始されたと判定すると、注目度が高いと判定して省電力モードから通常モードに移行させる。
【００２０】
省電力モード制御部２０は、注目度判定部１９で注目度が低いと判定された場合に、テレビ１を省電力モードに移行させ、注目度判定部１９で注目度が高いと判定された場合に、テレビ１を通常モードに移行させる。省電力モード制御部２０は、注目度判定部１９により注目度が低いと判定されて省電力モードに移行した場合、録画中の番組を表示中であるため省電力モードで表示させている旨を、表示制御部１４２を介して画面にＯＳＤ（On Screen Display）表示させるとよい。省電力モードになると、バックライト制御部２１は、通常モードのバックライトレベルよりも低いバックライトレベルに設定して、表示部１５２のバックライトの輝度を下げるように制御する。バックライトの輝度が下がると、映像が暗く見づらくなるため、表示制御部１４２は、省電力モードになると、通常モードよりも階調が高くなるように、表示部１５２のガンマ特性を補正する。
【００２１】
図２は、表示部１５２のガンマ特性を示す一例であり、図２（ａ）は通常モードのガンマ特性を示す図であり、図２（ｂ）は省電力モードのガンマ特性を示す図である。また、図２では、通常モードと省電力モードとのそれぞれにおけるバックライトレベルを共に示している。図２（ａ）に示すように、通常モードでは、予め設定されたバックライトレベルにおいて、ガンマ特性がリニアに設定されている。これに対し、図２（ｂ）に示す省電力モードでは、図２（ａ）に示す通常モードのバックライトレベルよりもバックライトレベルが低く設定されている。また、図２（ｂ）に示す省電力モードでは、入力映像輝度値に対して出力映像輝度値が高くなるように、ガンマ曲線が持ち上げられガンマ値が高くなるよう補正されている。そのため、省電力モードによりバックライトの輝度が下がっても、ガンマ特性の補正により映像の視覚的な明るさが保たれるようになっている。
【００２２】
次に、図３を参照して、本実施形態のテレビ１の処理の流れを説明する。
【００２３】
まず、ステップＡ１０で、注目度判定部１９は、ユーザからの視聴要求があるか判定する。ステップＡ１０でＮｏの場合、注目度判定部１９は、ユーザからの視聴要求があるまでステップＡ１０の処理を繰り返す。一方、ステップＡ１０でＹｅｓの場合、ステップＡ１１で、注目度判定部１９は、録画中であるか判定する。ステップＡ１１でＮｏの場合、注目度判定部１９は、現在録画中の番組がないので、ステップＡ１９に処理を進め、図２（ａ）に示す通常モードに移行させて、視聴要求チャンネルの番組を表示させる。
【００２４】
一方、ステップＡ１１でＹｅｓの場合、ステップＡ１２で、注目度判定部１９は、視聴要求チャンネルと視聴要求時刻とを取得する。ステップＡ１３で、注目度判定部１９は、録画中番組のチャンネルと番組開始時刻とを取得する。ステップＡ１４で、注目度判定部１９は、視聴要求チャンネルと録画中番組のチャンネルとが同一であるか判定する。ステップＡ１４でＮｏの場合、注目度判定部１９は、視聴要求のあったチャンネルの番組が録画中ではないので、ステップＡ１９に処理を進め、図２（ａ）に示す通常モードに移行させて、視聴要求チャンネルの番組を表示させる。
【００２５】
一方、ステップＡ１４でＹｅｓの場合、ステップＡ１５で、注目度判定部１９は、視聴要求時刻が番組開始時刻から所定時間以内であるか判定する。ステップＡ１５でＹｅｓの場合、注目度判定部１９は、注目度が高いと判定して、ステップＡ１９に処理を進め、図２（ａ）に示す通常モードに移行させて、視聴要求チャンネルの番組を表示させる。
【００２６】
一方、ステップＡ１５でＮｏの場合、注目度判定部１９は、注目度が低いと判定して、ステップＡ１６で、図２（ｂ）に示す省電力モードに移行させて、視聴要求チャンネルの番組を表示させる。その後、ステップＡ１７で、注目度判定部１９は、現在録画中であり且つ視聴中の番組について、追っかけ再生部１８２による追っかけ再生が開始されたか判定する。ステップＡ１７でＹｅｓの場合、注目度判定部１９は、注目度が高いと判定して、ステップＡ１９で、図２（ａ）に示す通常モードに移行させて、録画中番組を表示させる。
【００２７】
一方、ステップＡ１７でＮｏの場合、注目度判定部１９は、ステップＡ１８で、現在録画中であり且つ視聴中の番組について、録画が終了したか判定する。ステップＡ１８でＮｏの場合、注目度判定部１９は、ステップＡ１７に処理を戻す。一方、ステップＡ１８でＹｅｓの場合、注目度判定部１９は、ステップＡ１９で、図２（ａ）に示す通常モードに移行させて、本処理を終了する。
【００２８】
このように、本実施形態によれば、録画中の番組に対してユーザからの視聴要求があった場合、その視聴要求時刻が番組開始時刻から所定時間経過後であるときに、注目度が低いと判定して省電力モードに移行させ、テレビ１の消費電力を削減することができる。
【００２９】
なお、本実施形態では、省電力モード制御部２０は、省電力モードとして、バックライト制御部２１によりバックライトレベルを下げる場合を例に説明したが、他の省電力処理を行ってもよい。例えば、省電力モード制御部２０は、表示制御部１４２を介して、１秒間当たりのフレーム数を増やして表示させるパネル倍速駆動を停止させたり、画質を低下させて表示させたりしてもよい。また、省電力モード制御部２０は、バックライトがＬＥＤ（Light Emitting Diode）で構成されている場合、表示制御部１４２を介して、表示される映像領域が小さくなるよう制御させると共に、バックライト制御部２１を介して、映像領域以外に対応するバックライトを消灯させるローカルディミングを行ってもよい。また、省電力モード制御部２０は、音声処理部１４１を介して、音量を下げさせたり、５．１ＣＨで音声が出力されている場合に音声出力のチャンネル数を減少させ、例えば２ＣＨで音声を出力させたりしてもよい。
【００３０】
また、注目度判定部１９は、視聴要求時刻が番組開始時刻から遅れた時間に応じて、注目度に複数段階のレベルを設け、注目度のレベルに対応させて省電力モードのレベルを変えてもよい。例えば、注目度判定部１９は、視聴要求時刻が番組開始時刻から第１所定時間以内である場合、注目度が高であると判定して、通常モードで表示させる。一方、注目度判定部１９は、視聴要求時刻が番組開始時刻から第１所定時間経過後であり且つ第２所定時間以内である場合、注目度が中であると判定して、バックライト制御部２１を介してバックライトレベルを下げさせて、図２（ｂ）に示す省電力モードで表示させる。また、注目度判定部１９は、視聴要求時刻が番組開始時刻から第２所定時間経過後であり且つ第３所定時間以内である場合、注目度が低であると判定して、映像領域を小さく表示させると共に映像領域外のバックライトを消灯させ、音量も下げさせてもよい。このように、注目度判定部１９は、視聴要求時刻が番組開始時刻から遅れるほど注目度が低いと判定して、注目度が低くなるほど消費電力が多く削減されるように、省電力モード制御部２０による省電力制御処理を行わせてもよい。
【００３１】
また、注目度判定部１９は、電子番組表等から視聴要求チャンネルのジャンルを取得して、ジャンルに応じて注目度を変え、移行させる電力モードを決定してもよい。例えば、ジャンルがニュースである場合、短い内容で複数のニュースを紹介する番組形式が一般的であるため、番組の途中からでも視聴に支障をきたさないことが多い。そのため、注目度判定部１９は、視聴要求チャンネルのジャンルがニュースである場合、視聴要求時刻が番組時間内であれば番組開始時刻からどれだけ遅れていても、注目度が高いと判定して通常モードで表示させてもよい。逆に、ジャンルが映画やドラマである場合、ユーザが番組の冒頭部分を見逃すと、ストーリー展開に付いて行けず興味を失うことが多い。そのため、注目度判定部１９は、視聴要求チャンネルが映画やドラマである場合、視聴要求時刻が番組開始時間から所定時間以内であっても、注目度が低いと判定して省電力モードに移行させてもよい。なお、これら注目度の判定条件及び注目度に対応する省電力モードは、ユーザがリモコン操作等により設定可能としてもよい。
【００３２】
また、注目度判定部１９は、録画中番組の放送時間帯中に録画中番組のチャンネルが選局された回数をカウントし、録画中番組のチャンネルが所定回数以上選局された場合に、注目度が高いと判定して、通常モードで視聴要求チャンネルの番組を表示させてもよい。これによれば、ユーザがザッピングしながら番組を視聴している場合でも、ユーザの番組に対する注目度を精度良く判定することができる。
【００３３】
本発明は上述した実施の形態に限定されるものではなく、本発明の趣旨を逸脱しない範囲で種々様々に変更が可能であることは言うまでもない。なお、上記実施形態において、同様の機能を示す構成には、同一の符号を付してある。
【符号の説明】
【００３４】
１：テレビ
２：リモコン
１１：アンテナ
１２：チューナー部
１３：信号処理部
１４：映像音声出力処理部
１５：出力部
１６：リモコン受信部
１７：リモコン信号処理部
１８：録画処理部
１９：注目度判定部
２０：省電力モード制御部
２１：バックライト制御部
１４１：音声処理部
１４２：表示制御部
１５１：スピーカ
１５２：表示部
１８１：録画予約部
１８２：追っかけ再生部
１８３：録画部
【図１】
2013162450.tif 000003
【図２】
2013162450.tif 000004
【図３】
2013162450.tif 000005